(57)【要約】      （修正有）【課題】ベッドを使用しない場合でも布団カバーとして使用でき、布団カバーの取替えを簡単にしたベッド用布団カバーを提供する。【解決手段】布団の出し入れ口４をベッド用布団カバー本体１の下部に設け、出し入れ口４には開閉用具を付けず常にオープン状態にすることで布団の出し入れが容易になり、またカバーの表地２をカバーの裏地３より長くすることで布団をベッドに掛けた時に出し入れ口を外部から隠せ、カバーの表地２を引っ張る事で表地のウネリやシワが解消され綺麗なフォルムを容易に形成でき、更に布団カバーと布団の固定用具の着脱操作口５を布団カバー本体１の上部の左右両側面等の固定用具のある箇所付近に人の手が入る１２ｃｍ程度設けることで着脱操作が外から簡単に行えることにより、布団カバーの取替え等のベッドメイキングを簡単にしかも綺麗にすることに役立つ。【選択図】図１
0003182882.tif 000002
【実用新案登録請求の範囲】
【請求項１】
布団の出し入れ口を布団カバー本体の下部（足元部分）に設け、出し入れ口にはファスナー等の開閉用具を設けず、且出し入れ口のカバーの表地（上生地）をカバーの裏地（下生地）より長くし、更にカバー上部（襟元部分）の左右両側面に人の手が入る１２ｃｍ程度の口（表地と裏地が縫い合わさってない部分）を設けたベッド用布団カバー。
【請求項２】
布団の出し入れ口を布団カバー本体の下部（足元部分）に設け、出し入れ口にはファスナー等の開閉用具を設けず、且出し入れ口のカバーの表地（上生地）をカバーの裏地（下生地）より長くし、更にカバー上部（襟元部分）の左右両側面及び左右両側面の他の部分に人の手が入る１２ｃｍ程度の口（表地と裏地が縫い合わさってない部分）を設けたベッド用布団カバー。
【請求項３】
布団の出し入れ口を布団カバー本体の下部（足元部分）に設け、出し入れ口にはファスナー等の開閉用具を設け、且出し入れ口のカバーの表地（上生地）をカバーの裏地（下生地）より長くし、更にカバー上部（襟元部分）の左右両側面及び必要に応じ左右両側面の他の部分に人の手が入る１２ｃｍ程度の口（表地と裏地が縫い合わさってない部分）を設けたベッド用布団カバー。
【考案の詳細な説明】
【技術分野】
【０００１】  本考案は、布団の出し入れ口が布団カバー本体の下部（足元部分）にあり、出し入れ口にはファスナー等の開閉用具を設けず、出し入れ口のカバーの表地（上生地）がカバーの裏地（下生地）より長く、更にカバー上部（襟元部分）の左右両側面に人の手が入る１２ｃｍ程度の口（表地と裏地が縫い合わさってない部分）を設けたベッド用布団カバーに関するものである。尚、本考案はベッドを使用しない場合でも布団カバーとして使用する事ができる。
【背景技術】
【０００２】  ベッド用布団カバーの布団の出し入れ口は、通常カバーの側部や下部にあり、ファスナーや紐等で開閉できる様になっている。まれにカバーの表地上に設けられているタイプ等も有るが、何れも使用時の出し入れ口は閉じられカバーは袋状になっており、布団カバーの交換は、出し入れ口を開け布団を取り出す必要が有り、ベッドメイキングには少々手間も掛かった。また、布団カバー内で布団が移動しない様にカバーと布団を紐等で固定する形態のカバーの場合は更に手間が掛かった。布団を挿入後出し入れ口を閉じた袋状になった布団カバーは、ベッドに掛けた際もカバーの表地にウネリやシワが生じやすく、平らで綺麗なフォルムになりにくかった。
【考案の開示】
【考案が解決しようとする課題】
【０００３】  ホテル等のベッドメイキングで最も大変な作業の一つが布団カバーの交換の為の布団の出し入れであり、最も気を使う作業がベッドに布団を掛けた時の布団カバーのウネリやシワの無い平らで綺麗なフォルムである。この作業を１人で素早く行うには体力と熟練が必要である。従って布団カバーの布団の出し入れ口の開閉システムを無くし、常にオープン状態にすることで、また布団カバーがカバーと布団を紐等で固定する形態の場合は、布団カバーの固定用具付近に口を設け、外から固定用具の着脱が可能にする事で作業効率の向上が図れ、しかも布団カバーが袋状でないため布団をベッドに掛けた際にカバーの表地を引っ張ることでウネリやシワの解消が容易となり、更にカバーの表地が布団の出し入れ口を隠し、体裁も良く、前述の欠点を解決しようとするものである。
【課題を解決するための手段】
【０００４】  本考案は、布団の出し入れ口を布団カバー本体の下部に設け、この出し入れ口にはファスナーや紐等の開閉用具は付けず、布団が容易に出し入れできる様にし、且出し入れ口のカバーの表地は裏地より長くし、表地を引きやすくすると共に布団をベッドに掛けた際に外部から出し入れ口が見えない様にし体裁も良くする。更に布団カバー内での布団の移動を防ぐために布団カバーと布団を固定する紐等の固定用具がある形態のカバーの場合は、着脱が容易に行える様に布団カバーの上部の左右両側面等の固定用具のある箇所付近に人の手が入る１２ｃｍ程の口（表地と裏地を縫い合わさない部分）を設ける様にする事で問題を解決している。
【考案の効果】
【０００５】  上述の様に、本考案の布団カバーを使用すると、ベッドメイキングの際のカバーの交換は、カバーと布団の固定用具がある場合でもカバー上部の左右両側面等に設置された口からカバーと布団の固定用具を解き、カバー下部の出し入れ口から布団を一気に抜き取ることが出来る。布団カバーへの布団の挿入も大きく開いた出し入れ口から一気に挿入でき、布団カバーと布団の固定作業も布団カバーに設置の口から容易に行える。更に布団をベッドに掛けた後に、布団の出し入れ口のカバーの表地を引っ張る事でカバーの表地のウネリやシワも解消され平らで綺麗なフォルムが形成でき、カバーの表地が長い事で出し入れ口も隠れ体裁も良く、作業効率も上がると共に作業も容易になり人材確保もしやすくなる。
【考案を実施するための最良の形態】
【０００６】  布団カバーの上部及び両側面は布を折ったり縫い合わせる等してカバーの表地と裏地が剥がれない様にする。カバーの下部は表地と裏地の接合は行わず、大きく口が開いた状態にすると共に、カバーの表地を裏地より長くすることで、布団のカバーへの出し入れは容易になると共にカバーの表地が布団の出し入れ口を覆う為外部から出し入れ口が見えず体裁も良くなる。また布団をベッドに掛けた後、カバーの表地を軽く引けば表地はピント張り表地のウネリやシワは解消し平らで綺麗なフォルムが描ける。更にカバー上部の左右両側面等のカバーと布団を固定する紐等の固定用具が施されてる箇所付近に人の手が入る１２ｃｍ程度の口を設ける事で容易に固定用具の着脱が可能となる。
【実施例】
【０００７】  以下、添付図面に従って一実施例を説明する。１は布団カバー本体で上部及び両側面は縫い合わせる等してカバーの表地２とカバーの裏地３が剥がれない様にする。２は布団カバーの表地（上生地）、３は布団カバーの裏地（下生地）で表地は裏地より長くなっている。４は布団カバーの下部にある布団の出し入れ口でファスナーやヒモ等の開閉用具は無く常にオープン状態である。５は布団カバーのカバーと布団の固定用具の着脱操作口であり、７はカバーと布団を固定する固定用具の一種の紐である。布団６を出し入れ口４から挿入し、布団カバーと布団を固定する紐７等の固定用具がある場合は着脱操作口５から固定操作後ベッド８に掛ける。掛けた後はカバーの形態を整え最後にカバーの表地２の端を引っ張り表地のウネリやシワを取り除く。【０００８】  本考案の一実施例は、上述の如き構成からなるものであるから、布団カバーの交換の際は、カバー下部の布団の出し入れ口４から布団６を一気に出し入れでき、紐７等の固定用具の着脱操作も操作口５から行えベッドメイキングが従来より容易にできる。またベッド８に掛けられた布団カバーの表地２の端を引っ張る事で表地はウネリやシワの無い平らで綺麗なフォルムが形成され、カバーの表地２が長い為出し入れ口４も外部から見えず、綺麗で体裁の良いベッドメイキングが完成でき作業効率もアップする。
【図面の簡単な説明】
【０００９】
【図１】本考案の布団カバーの表面の斜視図
【図２】本考案の布団カバーの裏面の斜視図
【図３】本考案の布団カバーに布団を挿入時の断面図
【図４】本考案の布団カバーの実施例の断面図
【図５】本考案の布団カバーの固定用具の着脱操作口の拡大斜視図
【写真の簡単な説明】
【００１０】
【写真１】
本考案の布団カバーの実施例の斜視写真
【写真２】
本考案の布団カバーの実施例で、カバーの表地の一部を捲り上げた布団挿入時の斜視写真
【符号の説明】
【００１１】１  布団カバー本体
２  布団カバーの表地（上生地）
３  布団カバーの裏地（下生地）
４  布団カバーの布団の出し入れ口
５  布団カバーのカバーと布団の固定用具の着脱操作口
６  布団
７  布団カバーのカバーと布団を固定する固定用具の一種である紐
８  ベッド
【図１】
0003182882.tif 000003
【図２】
0003182882.tif 000004
【図３】
0003182882.tif 000005
【図４】
0003182882.tif 000006
【図５】
0003182882.tif 000007
【手続補正書】
【提出日】平成25年1月28日(2013.1.28)
【手続補正１】
【補正対象書類名】実用新案登録請求の範囲
【補正対象項目名】全文
【補正方法】変更
【補正の内容】
【実用新案登録請求の範囲】
【請求項１】
布団の出し入れ口を布団カバー本体の下部即ち足元部分に設け、出し入れ口にはファスナー等の開閉用具を設けず、且つ出し入れ口のカバーの表地即ち上生地をカバーの裏地即ち下生地より長くし、更にカバー上部即ち襟元部分の左右両側面に人の手が入る１２ｃｍ程度の口即ち表地と裏地が縫い合わさってない部分を設けたベッド用布団カバー。
【請求項２】
布団の出し入れ口を布団カバー本体の下部即ち足元部分に設け、出し入れ口にはファスナー等の開閉用具を設けず、且つ出し入れ口のカバーの表地即ち上生地をカバーの裏地即ち下生地より長くし、更にカバー上部即ち襟元部分の左右両側面及び左右両側面の他の部分に人の手が入る１２ｃｍ程度の口即ち表地と裏地が縫い合わさってない部分を設けたベッド用布団カバー。
【請求項３】
布団の出し入れ口を布団カバー本体の下部即ち足元部分に設け、出し入れ口にはファスナー等の開閉用具を設け、且つ出し入れ口のカバーの表地即ち上生地をカバーの裏地即ち下生地より長くし、更にカバー上部即ち襟元部分の左右両側面及び左右両側面の他の部分に人の手が入る１２ｃｍ程度の口即ち表地と裏地が縫い合わさってない部分を設けたベッド用布団カバー。